(57)【要約】【課題】遮熱性能が極力減少することの無いようにした遮熱体を提供すること。【解決手段】複数の開孔１３を有する各取付体１２のそれぞれの取付け面に接着剤を介して、アルミ蒸着シート又はアルミ箔で構成される遮熱シート１１に貼り付けて、遮熱シート１１を２つの取付体１２で挟むように一体化して、遮熱体１０を作製する。このように作製された遮熱体１０を冷蔵庫本体３の外側面及び断熱扉５の外側面、必要な場合には仕切り壁の外側面に、遮熱シート１１の裏面に取り付けられた一方の取付体１２の裏面に接着剤を介して取り付ける。その後、遮熱シート１１の外側面に取り付けられた他方の取付体１２の外側面に、必要に応じて、接着剤を介して化粧体１６を貼付して取り付ける。【選択図】図３
2018009691.tif 000002
【特許請求の範囲】
【請求項１】
対象物に貼付されて輻射熱を反射する遮熱体であって、遮熱性能を有するアルミ蒸着シート又はアルミ箔で構成される遮熱シートと、複数の開孔を有すると共に前記遮熱シートを挟むようにこの遮熱シートに取り付けられる２つの取付体とから構成し、前記２つの取付体のうちの一方の取付体を介して前記対象物に、前記開孔により前記対象物と前記遮熱シートとで空間を形成するように貼付されることを特徴とする遮熱体。
【請求項２】
対象物に貼付されて輻射熱を反射する遮熱体であって、遮熱性能を有する複数枚のアルミ蒸着シートが貼付されて構成される遮熱シートと、複数の開孔を有すると共に前記遮熱シートを挟むようにこの遮熱シートに取り付けられる２つの取付体とから構成し、前記２つの取付体のうち一方の取付体を介して前記対象物に、前記開孔により前記対象物と前記遮熱シートとで空間を形成するように貼付されることを特徴とする遮熱体。
【請求項３】
対象物に貼付されて輻射熱を反射する遮熱体であって、遮熱性能を有するアルミ箔で構成される第１の遮熱シートと、この第１の遮熱シートを挟むように一体化するもので同じく遮熱性能を有する２枚のアルミ蒸着シートで構成される第２の遮熱シートと、複数の開孔を有すると共に一体化された前記第１及び第２の遮熱シートを挟むように取り付けられる２つの取付体とから構成し、前記２つの取付体のうちの一方の取付体を介して前記対象物に、前記開孔により前記対象物と前記遮熱シートとで空間を形成するように貼付されることを特徴とする遮熱体。
【請求項４】
対象物に貼付されて輻射熱を反射する遮熱体であって、遮熱性能を有するアルミ箔を複数枚の不織布で挟み、この不織布で前記アルミ箔を挟んだ状態のものを更に遮熱性能を有する２枚のアルミ蒸着シートで挟んで構成される遮熱シート体と、複数の開孔を有すると共に前記遮熱シート体を挟むようにこの遮熱シート体に取り付けられる２つの取付体とから構成し、前記２つの取付体のうちの一方の取付体を介して前記対象物に、前記開孔により前記対象物と前記遮熱シート体とで空間を形成するように貼付されることを特徴とする遮熱体。
【請求項５】
前記２つの取付体のうちの他方の取付体の表面に、保護のための化粧体を貼付したことを特徴とする請求項１乃至請求項４のいずれかに記載の遮熱体。
【発明の詳細な説明】
【技術分野】
【０００１】
本発明は、対象物に貼付されて輻射熱を反射する遮熱体に関するものである。
【背景技術】
【０００２】
対象物に貼付されて輻射熱を反射する遮熱体に関しては、例えば断熱ボードで形成した断熱壁に断熱効果の高いアルミ蒸着シートであるシート材を貼付して被覆する技術が提案されている（例えば、特許文献１参照）。
【先行技術文献】
【特許文献】
【０００３】
【特許文献１】実用新案登録第３１７２７５２号公報
【発明の概要】
【発明が解決しようとする課題】
【０００４】
しかしながら、対象物であえる前記断熱壁に空間を存することなく、直接シート材を貼付するものであるから、熱伝導し易く、遮熱性能が激減するという問題がある。
【０００５】
そこで、本発明は上記のような問題を解消するためになされたもので、遮熱性能が極力減少することの無いようにした遮熱体を提供することを目的とする。
【課題を解決するための手段】
【０００６】
第１の発明は、対象物に貼付されて輻射熱を反射する遮熱体であって、遮熱性能を有するアルミ蒸着シート又はアルミ箔で構成される遮熱シートと、複数の開孔を有すると共に前記遮熱シートを挟むようにこの遮熱シートに取り付けられる２つの取付体とから構成し、前記２つの取付体のうちの一方の取付体を介して前記対象物に、前記開孔により前記対象物と前記遮熱シートとで空間を形成するように貼付されることを特徴とする。
【０００７】
また第２の発明は、対象物に貼付されて輻射熱を反射する遮熱体であって、遮熱性能を有する複数枚のアルミ蒸着シートが貼付されて構成される遮熱シートと、複数の開孔を有すると共に前記遮熱シートを挟むようにこの遮熱シートに取り付けられる２つの取付体とから構成し、前記２つの取付体のうち一方の取付体を介して前記対象物に、前記開孔により前記対象物と前記遮熱シートとで空間を形成するように貼付されることを特徴とする。
【０００８】
更に第３の発明は、対象物に貼付されて輻射熱を反射する遮熱体であって、遮熱性能を有するアルミ箔で構成される第１の遮熱シートと、この第１の遮熱シートを挟むように一体化するもので同じく遮熱性能を有する２枚のアルミ蒸着シートで構成される第２の遮熱シートと、複数の開孔を有すると共に一体化された前記第１及び第２の遮熱シートを挟むように取り付けられる２つの取付体とから構成し、前記２つの取付体のうちの一方の取付体を介して前記対象物に、前記開孔により前記対象物と前記遮熱シートとで空間を形成するように貼付されることを特徴とする。
【０００９】
更に第４の発明は、対象物に貼付されて輻射熱を反射する遮熱体であって、遮熱性能を有するアルミ箔を複数枚の不織布で挟み、この不織布で前記アルミ箔を挟んだ状態のものを更に遮熱性能を有する２枚のアルミ蒸着シートで挟んで構成される遮熱シート体と、複数の開孔を有すると共に前記遮熱シート体を挟むようにこの遮熱シート体に取り付けられる２つの取付体とから構成し、前記２つの取付体のうちの一方の取付体を介して前記対象物に、前記開孔により前記対象物と前記遮熱シート体とで空間を形成するように貼付されることを特徴とする。
【００１０】
第５の発明は、第１乃至第４のいずれかの発明において、前記２つの取付体のうちの他方の取付体の表面に、保護のための化粧体を貼付したことを特徴とする。
【発明の効果】
【００１１】
以上のように、本発明によれば、遮熱性能が極力減少することの無いようにした遮熱体を提供することができる。
【図面の簡単な説明】
【００１２】
【図１】小型の冷蔵庫の外観斜視図である。
【図２】一体化する前の分解した状態であって、一部破断せる遮熱体の平面図である。
【図３】第１の実施形態の遮熱体の縦断面図である。
【図４】第２の実施形態の遮熱体の縦断面図である。
【図５】第３の実施形態の遮熱体の縦断面図である。
【図６】第４の実施形態の遮熱体の縦断面図である。
【発明を実施するための形態】
【００１３】
先ず、本発明に係る遮熱体１０を貼付する対象物として、例えば小型の冷蔵庫１を例とした実施形態について、説明する。この冷蔵庫１は、背面に冷却装置２を備えた前面を開口した箱状を呈する冷蔵庫本体３と、その冷蔵庫本体３には取っ手６を操作することによりヒンジ４を介して回動可能に支持されて前面開口を開閉する断熱扉５とを備えている。
【００１４】
なお、前記冷蔵庫本体３は概ね直方体形状を呈しているが、これ以外の、例えば立法体などの形状でもよく、前面を除く５面を断熱壁で形成する。即ち、前記冷蔵庫本体３は、鋼板製の外箱（外壁）３Ａと、合成樹脂製の内箱（内壁）３Ｂと、両箱（両壁）３Ａ、３Ｂ間に充填された発泡ウレタンなどの断熱材３Ｃとから構成されている（図３参照。）。即ち、前記冷蔵庫本体３は前記５面を前記断熱壁で形成され、これら断熱壁は外壁と、内壁と、両壁間に充填された断熱材とから構成される。
【００１５】
同様に、前記断熱扉５も鋼板製の外壁と、合成樹脂製の内壁、両壁間に充填された発泡ウレタンなどの断熱材とから構成されている。また、この冷蔵庫本体３の内部が、例えば一方の収納室内が冷蔵室で、他方の収納室内が冷凍室で構成されている場合には、仕切り壁により仕切られている場合がある。
【００１６】
前記冷却装置２は、前記冷蔵庫本体３内を飲食料品等の保管に適した温度に冷却するものであり、既存の冷却装置である冷凍サイクルユニットを備えている。
【００１７】
なお、本発明に係る前記遮熱体１０は、本実施形態では前記小型の冷蔵庫１の前記冷蔵庫本体３の外側面や、前記断熱扉５の外側面や、前記仕切り壁の外側面（前記仕切り壁の片面又は両面）に貼付されるが、この前記小型の冷蔵庫１に限らず、大型の冷蔵庫にも適用できる。更には、仕切り壁により、庫内の貯蔵室が冷蔵室と温蔵室とが仕切られているような自動販売機（ホット・アンド・コールド自動販売機）などにも、この仕切り壁の外側面（前記仕切り壁の片面又は両面）に貼付してもよい。
【００１８】
次に、図２及び図３に基づいて、本発明に係る前記遮熱体１０の第１の実施形態について、詳述する。先ず、１１は輻射熱を反射する遮熱性能を有する遮熱シートで、アルミ蒸着シート又はアルミ箔で構成される。この遮熱シート１１の厚さは、例えば０．０５ｍｍ程度である。
【００１９】
１２は前記遮熱シート１１の表面及び裏面にそれぞれ貼付される取付体で、共に網目状（升目状に）に、例えば等間隔に複数の開孔１３が形成されているが、前記開孔１３は規則正しく形成されていても、いなくとも、どちらでもよい。そして、この取付体１２は、平面視した場合の外側面における１ｍ2当たりの開孔面積比率が４０％以上〜１００％未満の前記開孔１３を備え、厚さは例えば１．０ｍｍ程度である。即ち、本実施形態においては、前記開孔１３は、例えば縦横ともに３ｍｍで、各開孔１３間の枠部１４は幅１ｍｍで、この取付体１２の１ｍ2当たりの前記開孔面積比率は５６．２５％である。なお、各取付体１２は、成形された合成樹脂材料、例えばＰＥＴ（ポリエチレンテレフタラート）や、ポリプロピレンや、塩化ビニル樹脂、その他の合成樹脂材料で作製される。
【００２０】
なお、前記開孔１３の形状は、本実施形態では、平面視正方形状としたが、これに限らず、長方形状、円形状、長円形状、その他の形状でもよい。
【００２１】
そして、前述したような各取付体１２のそれぞれの取付け面か又は前記遮熱シート１１の両面に接着剤を塗布して前記遮熱シート１１に各取付体１２を貼り付けて、前記遮熱シート１１を２つの取付体１２で挟むように一体化して、前記遮熱体１０を作製する。即ち、接着剤を介して、前記遮熱シート１１の両面に各取付体１２を貼付して取り付ける。
【００２２】
このように作製された前記遮熱体１０を前記冷蔵庫１の前記冷蔵庫本体３の外側面及び前記断熱扉５の外側面、必要な場合には前記仕切り壁の外側面（前記仕切り壁の片面又は両面）に、前記遮熱シート１１の裏面に取り付けられた一方（取付側）の前記取付体１２の裏面を接着剤を介して貼付して取り付ける。
【００２３】
このように、前記遮熱体１０を前記冷蔵庫本体３の外側面などに取り付けた後、前記遮熱シート１１の外側面に取り付けられた他方の前記取付体１２の外側面に、図３に示すように、この他方の前記取付体１２の外側面に、この取付体１２を保護すると共に目隠しして見映えを良くするために、必要に応じて化粧板や、化粧シートなどの化粧体１６を接着剤を介して貼付して取り付けるが、必ずしも取り付けなくともよい。なお、前記化粧体１６は、本実施形態では、硬質の合成樹脂材料で作製するが、用途に応じてその硬さを選択する。
【００２４】
以上のように、前記遮熱体１０を前記冷蔵庫本体３の外側面、前記断熱扉５の外側面、及び必要な場合には庫内の前記仕切り壁の外側面に取り付けることにより、一方の前記取付体１２の前記開孔１３の裏面側（取付側）は前記冷蔵庫本体３の外側面、前記断熱扉５の外側面、及び必要な場合には前記仕切り壁の外側面により塞がれると共に、一方の前記取付体１２の前記開孔１３の外側面側は前記遮熱シート１１で塞がれて、一方の空間Ｓ１が形成される。即ち、前記遮熱シート１１は、直接ではなく、一方の前記取付体１２を介して且つ前記空間Ｓ１を形成しながら、前記冷蔵庫本体３の外側面、前記断熱扉５の外側面、及び必要な場合には前記仕切り壁の外側面に取り付けられる。
【００２５】
また、前述した他方の前記取付体１２の外側面には、前記化粧体１６を貼付することにより、他方の前記取付体１２の前記開孔１３の裏面側は前記遮熱シート１１で塞がれると共に、この他方の前記取付体１２の前記開孔１３の外側面側は前記化粧体１６で塞がれて、他方の空間Ｓ２が形成される。
【００２６】
以上のように、前記遮熱シート１１は、直接ではなく、一方の前記取付体１２を介して且つ前記空間Ｓ１を形成しながら、前記冷蔵庫本体３の外側面、前記断熱扉５の外側面、及び必要な場合には前記仕切り壁の外側面に取り付けられるから、しかも前記空間Ｓ１により空気層が形成されることとなって、前記遮熱シート１１の遮熱効果と相俟って、更に前記冷蔵庫１側からの熱伝導も極力減少させることにより断熱効果もある。更には、前記化粧体１６を貼付した場合には、前記空間Ｓ２も形成されるので、更なる断熱効果もある。
【００２７】
なお、上述した前記遮熱体１０の第１の実施形態において、前記遮熱シート１１と２枚の前記取付体１２との貼付や、一方の前記取付体１２と前記冷蔵庫本体３の外側面などとの貼付や、他方の前記取付体１２の外側面と前記化粧体１６との貼付に際して、接着剤を介して貼付するが、貼付するいずれか一方又は両方に、部分的に前記接着剤を塗布して貼付して一体化するが、全体的に塗布してもよい。
【００２８】
次に、図４に基づいて、本発明に係る前記遮熱体の第２の実施形態について、詳述する。先ず、１１Ａは輻射熱を反射する遮熱性能を有する遮熱シートで、アルミ蒸着シートで構成される。この遮熱シート１１の厚さは、例えば０．０５ｍｍ程度である。
【００２９】
この遮熱シート１１Ａを複数枚、例えば接着剤により２枚接着した状態とし、この接着した状態の２枚の遮熱シート１１Ａ（遮熱シート体）の表面及び裏面に、前述した各取付体１２を接着剤を介してそれぞれ貼付する。即ち、この接着した状態の遮熱シート体を２つの取付体１２で挟むように一体化して、遮熱体１０Ａを作製する。
【００３０】
このように作製された前記遮熱体１０Ａを前記冷蔵庫１の前記冷蔵庫本体３の外側面及び前記断熱扉５の外側面、必要な場合には前記仕切り壁の外側面（前記仕切り壁の片面又は両面）に、取付側の前記遮熱シート１１Ａの裏面に取り付けられた一方（取付側）の前記取付体１２の裏面を接着剤を介して貼付して取り付ける。
【００３１】
そして、前述したように、他方の前記取付体１２の外側面に、この取付体１２を保護すると共に目隠しして見映えを良くするために、必要に応じて化粧板や、化粧シートなどの化粧体１６を接着剤を介して貼付して取り付ける。
【００３２】
なお、前記遮熱体１０Ａに係る第２の実施形態は、前記遮熱シート体（２枚の前記遮熱シート１１Ａ）と前記冷蔵庫本体３の外側面とで前記空間Ｓ１と、前記遮熱シート体（２枚の前記遮熱シート１１Ａ）と前記化粧体１６とで前記空間Ｓ２が形成される点は第１の実施形態と同様である。
【００３３】
なお、上述した前記遮熱体１０Ａに係る第２の実施形態において、２枚の前記遮熱シート１１Ａの貼付や、一方の前記遮熱シート１１Ａと一方の前記取付体１２との貼付や、他方の前記遮熱シート１１Ａと他方の前記取付体１２との貼付や、一方の前記取付体１２と前記冷蔵庫本体３の外側面などとの貼付や、他方の前記取付体１２の外側面と前記化粧体１６との貼付に際して、接着剤を介して貼付するが、貼付するいずれか一方又は両方に、部分的に前記接着剤を塗布して貼付して一体化するが、全体的に塗布してもよい。
【００３４】
次に、図５に基づいて、本発明に係る前記遮熱体の第３の実施形態について、詳述する。先ず、１１Ｂは輻射熱を反射する遮熱性能を有する遮熱シート（第１の遮熱シート）で、アルミ箔で構成される。この遮熱シート１１Ｂの厚さは、例えば０．０５ｍｍ程度である。そして、このアルミ箔で構成された前記遮熱シート１１Ｂを、前述したようなアルミ蒸着シートで構成された２枚の前記遮熱シート（第２の遮熱シート）１１Ａ、１１Ａで挟むように、接着剤を介して一体化して固定して遮熱シート体を構成する。
【００３５】
前記遮熱シート１１Ａと１１Ａとで前記遮熱シート１１Ｂを挟んで接着した状態とし、この接着して一体化された状態の３枚の遮熱シート１１Ａ、１１Ｂ、１１Ａから成る前記遮熱シート体の表面及び裏面に、前述した各取付体１２を接着剤を介してそれぞれ貼付する。即ち、この接着した状態の３枚の遮熱シート１１Ａ、１１Ｂ、１１Ａから成る前記遮熱シート体を２つの取付体１２で挟むように一体化して固定して、遮熱体１０Ｂを作製する。
【００３６】
このように作製された前記遮熱体１０Ｂを前記冷蔵庫１の前記冷蔵庫本体３の外側面及び前記断熱扉５の外側面、必要な場合には前記仕切り壁の外側面（前記仕切り壁の片面又は両面）に、取付側の前記遮熱シート１１Ａの裏面に取り付けられた一方（取付側）の前記取付体１２の裏面を接着剤を介して貼付して取り付ける。
【００３７】
そして、前述したように、他方の前記取付体１２の外側面に、この取付体１２を保護すると共に目隠しして見映えを良くするために、必要に応じて化粧板や、化粧シートなどの化粧体１６を接着剤を介して貼付して取り付ける。
【００３８】
なお、前記遮熱体１０Ｂに係る第３の実施形態は、前記遮熱シート体と前記冷蔵庫本体３の外側面とで前記空間Ｓ１と、前記遮熱シート体と前記化粧体１６とで前記空間Ｓ２が形成される点は第１の実施形態と同様である。
【００３９】
なお、上述した前記遮熱体１０Ｂに係る第３の実施形態において、前記遮熱シート１１Ｂと２枚の前記遮熱シート１１Ａとの貼付や、一方の前記遮熱シート１１Ａと一方の前記取付体１２との貼付や、他方の前記遮熱シート１１Ａと他方の前記取付体１２との貼付や、一方の前記取付体１２と前記冷蔵庫本体３の外側面などとの貼付や、他方の前記取付体１２の外側面と前記化粧体１６との貼付に際して、接着剤を介して貼付するが、貼付するいずれか一方又は両方に、部分的に前記接着剤を塗布して貼付して一体化するが、全体的に塗布してもよい。
【００４０】
次に、図６に基づいて、本発明に係る前記遮熱体の第４の実施形態について、詳述する。先ず、１１Ｃは輻射熱を反射する遮熱性能を有する遮熱シートで、アルミ箔で構成される。この遮熱シート１１Ｃの厚さは、例えば０．０５ｍｍ程度である。そして、このアルミ箔で構成された前記遮熱シート１１Ｃの表面及び裏面に、ポリプロピレンで構成された各不織布１１Ｄを接着剤を介して貼付して取り付ける。
【００４１】
なお、この不織布１１Ｄは、厚さが数マイクロメートル（μｍ）程度であり、材料もポリプロピレン繊維に限らず、ポリエステル繊維、その他の材料で構成してもよい。この不織布１１Ｄは繊維を熱・機械的又は化学的な作用によって接着又は絡み合わせることで布にしたものであり、ポリプロピレン繊維やポリエステル繊維で作製されたものは、特に耐久性に優れる。
【００４２】
そして、前記遮熱シート１１Ｃを２枚の前記不織布１１Ｄで挟んだ状態にして一体化したものを、更に前述したようなアルミ蒸着シートで構成された２枚の前記遮熱シート１１Ａ、１１Ａで挟むように、接着剤を介して一体化して固定して遮熱シート体を構成する。
【００４３】
そして、前記遮熱シート１１Ｃと、２枚の前記不織布１１Ｄ、１１Ｄと、２枚の前記遮熱シート１１Ａ、１１Ａとが接着されて一体化された状態の前記遮熱シート体を、２つの取付体１２で挟むように接着剤を介して一体化して固定して、遮熱体１０Ｃを作製する。
【００４４】
このように作製された前記遮熱体１０Ｃを前記冷蔵庫１の前記冷蔵庫本体３の外側面及び前記断熱扉５の外側面、必要な場合には前記仕切り壁の外側面（前記仕切り壁の片面又は両面）に、取付側の前記遮熱シート１１Ａの裏面に取り付けられた一方（取付側）の前記取付体１２の裏面を接着剤を介して貼付して取り付ける。
【００４５】
そして、前述したように、他方の前記取付体１２の外側面に、この取付体１２を保護すると共に目隠しして見映えを良くするために、必要に応じて化粧板や、化粧シートなどの化粧体１６を接着剤を介して貼付して取り付ける。
【００４６】
なお、前記遮熱体１０Ｂに係る第４の実施形態は、前記遮熱シート体と前記冷蔵庫本体３の外側面とで前記空間Ｓ１と、前記遮熱シート体と前記化粧体１６とで前記空間Ｓ２が形成される点は第１の実施形態と同様である。
【００４７】
以上のように、前記遮熱体１０Ｃは、前記遮熱シート１１Ｃを２枚の前記不織布１１Ｄで挟んだ状態にしているから、強度を向上させると共に、前記不織布１１Ｄがその繊維間にわずかな空間（空気層）を形成しているから取付側（前記冷蔵庫１側）からの熱伝導を極力減少させ断熱性能を向上させている。また、前記不織布１１Ｄをポリエチレン繊維やポリプロピレン繊維で作製した場合には、特に耐久性に優れるので、室外で使用する場合に好適である。
【００４８】
なお、上述した前記遮熱体１０Ｃに係る第４の実施形態において、前記遮熱シート１１Ｃと２枚の前記不織布１１Ｄとの貼付や、一方の前記不織布１１Ｄと一方の前記遮熱シート１１Ａとの貼付や、他方の前記不織布１１Ｄと他方の前記遮熱シート１１Ａとの貼付や、一方の前記遮熱シート１１Ａと一方の前記取付体１２との貼付や、他方の前記遮熱シート１１Ａと他方の前記取付体１２との貼付や、一方の前記取付体１２と前記冷蔵庫本体３の外側面などとの貼付や、他方の前記取付体１２の外側面と前記化粧体１６との貼付に際して、接着剤を介して貼付するが、貼付するいずれか一方又は両方に、部分的に前記接着剤を塗布して貼付して一体化するが、全体的に塗布してもよい。
【００４９】
以上の第１乃至第４の実施形態では、前記遮熱体１０、１０Ａ、１０Ｂ、１０Ｃを前記冷蔵庫１の前記冷蔵庫本体３の外側面及び前記断熱扉５の外側面、必要な場合には前記仕切り壁の外側面に貼付して取り付けたが、このような冷蔵庫に限らず、冷却装置を備えない保冷庫の保冷庫本体の外側面及びこの保冷庫本体に取り付けられた断熱扉の外側面に貼付して取り付けるようにしてもよい。
【００５０】
このように、取り付けることにより、庫外からの輻射熱を反射して遮熱することができるから、庫内温度の上昇を極力抑制することができ、また前記空間Ｓ１により空気層が形成されることとなって、前記遮熱シート１１、１１Ａ、１１Ｂ、１１Ｃの遮熱効果と相俟って、更に取付側（前記冷蔵庫１や前記保冷庫側など）からの熱伝導も極力減少させることにより断熱効果もあり、更には前記化粧体１６を貼付した場合には、前記空間Ｓ２も形成されるので、更なる断熱効果もある。
【００５１】
また、前記遮熱体１０、１０Ａ、１０Ｂ、１０Ｃを加温装置を備えた温蔵庫の温蔵庫本体の内側面（庫内に面する）やこの温蔵庫本体に取り付けられた断熱扉の内側面に接着剤を介して貼付して取り付けるようにしてもよく、また加温装置を備えない保温庫の保温庫本体の内側面（庫内に面する）やこの保温庫本体に取り付けられた断熱扉の内側面に接着剤を介して貼付して取り付けるようにしてもよい。このように、取り付けることにより、庫内の輻射熱を反射して遮熱することができるから、庫内温度の低下を極力抑制することができ、また前記空間Ｓ１により空気層が形成されることとなって、前記遮熱シート１１、１１Ａ、１１Ｂ、１１Ｃの遮熱効果と相俟って、更に取付側（前記温蔵庫や前記保温庫側など）からの熱伝導も極力減少させることにより断熱効果もあり、更には前記化粧体１６を貼付した場合には、前記空間Ｓ２も形成されるので、更なる断熱効果もある。
【００５２】
また、前記遮熱体１０、１０Ａ、１０Ｂ、１０Ｃを一般家屋やビルディングなどの建物の外壁に、更には前記ビルディングの屋上の床面上に、貼付して取り付けるようにしてもよい。このように、取り付けることにより、太陽からの輻射熱を反射して遮熱することができるから、遮熱効果が高められ、ビルディングなどの建物の室内温度の上昇を極力抑制することができ、更に前記空間Ｓ１、Ｓ２により空気層が形成されることとなって、前記遮熱シート１１、１１Ａ、１１Ｂの遮熱効果と相俟って、更に取付側への熱伝導も極力減少させることにより断熱効果もある。
【００５３】
なお、前述した取付体１２は、成形された合成樹脂材料で作製され、前記遮熱体１０、１０Ａ、１０Ｂ、１０Ｃを貼付する対象物に応じて、その硬さを選択するが、例えばこの対象物が平面状を呈していれば硬質のものを選択し、曲面を備えたものでれば軟質のものを選択し、用途に応じて選択する。
【００５４】
以上本発明の実施態様について説明したが、上述の説明に基づいて当業者にとって種々の代表例、修正又は変形が可能であり、本発明はその趣旨を逸脱しない範囲で前述の種々の代表例、修正又は変形を包含するものである。
【符号の説明】
【００５５】
１０、１０Ａ、１０Ｂ、１０Ｃ  遮熱体
１１、１１Ａ、１１Ｂ、１１Ｃ  遮熱シート
１１Ｄ                不織布
１２                  取付体
１３                  開孔
１５                  化粧体
Ｓ１、Ｓ２            空間
【図１】
2018009691.tif 000003
【図２】
2018009691.tif 000004
【図３】
2018009691.tif 000005
【図４】
2018009691.tif 000006
【図５】
2018009691.tif 000007
【図６】
2018009691.tif 000008